(57)【要約】【課題】      振動板との接着強度が高い防水ダンパーを備えるスピーカー装置を提供する。【解決手段】  スピーカー装置において、中心軸上に支持部材が配置され、支持部材の外周に振動板が設けられ、振動板の上にダンパーが設けられる。好適な例では、ダンパーは防水性を有する。ダンパーは、その内周縁部が振動板より放音面側において支持部材に固定され、その外周縁部が振動板に固定される。ダンパーは、振動板に対する固定位置より外周側に振動板から放音側へ起立した折り返し部を有する。ダンパーの外周端に折り返し部を形成することにより、ダンパーの外周縁部と振動板との接着の際に、そのダンパーの外周縁部が接着剤の溶剤などで変形（膨潤）するのを抑制又は防止できる。これにより、接着部分の膨潤による接着強度の低下も防止できる。また、外周縁部におけるダンパー自体の強度が増加するので、ダンパーと振動板との固定部分の強度を十分に確保することができるとともに、振動系の不要な振動を抑制することもできる。【選択図】    図３
2005277872.tif 000002
【特許請求の範囲】
【請求項１】
スピーカー装置であって、
当該スピーカー装置の中心軸上に配置された支持部材と、
前記支持部材の外周に設けられた振動板と、
内周縁部が前記振動板より放音面側において前記支持部材に固定され、外周端が前記振動板に固定されたダンパーと、を備え、
前記ダンパーは、前記振動板に対する固定位置より外周側に、前記放音側へ起立した折り返し部を有することを特徴とするスピーカー装置。
【請求項２】
前記ダンパーは前記折り返し部より内周側の固定位置において、前記振動板に接着されていることを特徴とする請求項１に記載のスピーカー装置。
【請求項３】
前記ダンパーは防水性を有することを特徴とする請求項１又は２に記載のスピーカー装置。
【請求項４】
前記支持部材を保持するフレームと、
内周縁部が振動系の部材に固定され、外周端が前記フレームに固定された他のダンパーを備えることを特徴とする請求項１乃至３のいずれか一項に記載のスピーカー装置。
【発明の詳細な説明】
【技術分野】
【０００１】
本発明は、防水性ダンパーを備えるスピーカー装置の構造に関する。
【背景技術】
【０００２】
船舶用スピーカーは、例えば船舶の船首部分あるいは船尾部分に取り付けられる。このため、磁気回路に水や湿水が浸入すると磁気回路が錆びることがある。また、船舶用スピーカーを通じて船体の内部に水が浸入することがある。
【０００３】
このような不具合を解消するため、船舶用スピーカーでは、通常のダンパーの他に、エラストマー材料などからなる防水性のダンパー（以下、「防水ダンパー」とも呼ぶ。）を設けて、水滴が磁気回路系などに入り込むのを阻止するようにしている。例えば、コーン形状の振動板を有する船舶用スピーカーの場合、防水ダンパーの内周縁部は、その船舶用スピーカーの中心軸上に配置された支持部材に固定され、その外周縁部は振動板の放音面に接着剤を介して固定されている。これにより、水滴などが磁気回路系などに侵入するのを阻止するようにしている。
【０００４】
なお、通常のダンパーの他に防塵ダンパーを設けて、その防塵ダンパーの外周縁部とコーン形状の振動板とを接着剤により接着する構造を有するスピーカーが知られている（例えば、特許文献１及び２を参照）。
【０００５】
防水ダンパーの外周縁部は振動板に固定されるが、振動板はスピーカー装置からの音の再生時に振動するため、防水ダンパーの外周縁部と振動板との間には十分な接着強度が要求される。しかし、防水ダンパーを接着剤により振動板に接着すると、接着剤の溶剤により防水ダンパーの外周縁部がおかされて強度が低下することがある。また、船舶用スピーカーには水滴などが侵入する場合も多いため、水分により接着部分が膨潤し、強度が低下してしまうことがある。このため、音の再生時などに防水ダンパーの外周縁部が振動板から剥離してしまうなどの不具合が生じることがあった。
【０００６】
【特許文献１】特開平８−１４９５８９号公報
【特許文献２】特開平８−１６３６９２号公報
【発明の開示】
【発明が解決しようとする課題】
【０００７】
本発明が解決しようとする課題としては、上記のようなものが例として挙げられる。本発明は、防水ダンパーを振動板に十分な強度で安定的に取り付けることが可能なスピーカー装置を提供することを課題とする。
【課題を解決するための手段】
【０００８】
請求項１に記載の発明は、スピーカー装置であって、当該スピーカー装置の中心軸上に配置された支持部材と、前記支持部材の外周に設けられた振動板と、内周縁部が前記振動板より放音面側において前記支持部材に固定され、外周端が前記振動板に固定されたダンパーと、を備え、前記ダンパーは、前記振動板に対する固定位置より外周側に、前記放音側へ起立した折り返し部を有することを特徴とする。
【発明を実施するための最良の形態】
【０００９】
本発明の好適な実施形態によれば、スピーカー装置は、当該スピーカー装置の中心軸上に配置された支持部材と、前記支持部材の外周に設けられた振動板と、内周縁部が前記振動板より放音面側において前記支持部材に固定され、外周縁部が前記振動板に固定されたダンパーと、を備え、前記ダンパーは、前記振動板に対する固定位置より外周側に、前記放音側へ起立した折り返し部を有する。
【００１０】
上記のスピーカー装置では、中心軸上に支持部材が配置され、支持部材の外周に振動板が設けられ、振動板の上にダンパーが設けられる。好適な例では、ダンパーは防水性を有する。ダンパーは、その内周縁部が振動板より放音面側において支持部材に固定され、その外周縁部が振動板に固定される。ここで、ダンパーは、振動板に対する固定位置より外周側に、振動板上から放音側へ起立した折り返し部を有する。ダンパーの外周端に折り返し部を形成することにより、外周縁部におけるダンパー自体の強度が増加するので、ダンパーと振動板との固定部分の強度を十分に確保することができるとともに、振動系の不要な振動を抑制することもできる。
【００１１】
上記のスピーカー装置の一態様では、前記ダンパーは前記折り返し部より内周側の固定位置において、前記振動板に接着されている。この場合、折り返し部にてダンパーを接着剤により接着する組み立て工程において、この接着剤によりダンパーが溶解したり柔化することによりダンパー外周部が変形することを防止することができる。
【００１２】
上記のスピーカー装置の好適な例では、前記支持部材を保持するフレームと、内周縁部が振動系の部材に固定され、外周端が前記フレームに固定された他のダンパーを備える。この態様では、防水性を有するダンパーの他に、ボイスコイルボビンなどの振動系の部材とフレームとに固定された通常のダンパーを備える。
【実施例】
【００１３】
以下、図面を参照して本発明の好適な実施例について説明する。本実施例は、防水ダンパーの外周縁部に折り返し部を形成することにより、その外周縁部と振動板との接着の際、接着剤の溶剤などで変形（膨潤）するのを抑制あるいは防止する。
【００１４】
[スピーカー装置の構成]
先ず、図１に、本発明の実施例に係るスピーカー装置１００の概略構成を模式的に示す。図１（ａ）は、スピーカー装置１００の中心軸を含む平面を切断したときの断面図を示す。図１（ｂ）は、スピーカー装置１００の背面図を示す。なお、本実施例のスピーカー装置１００は船舶用スピーカーとして好適に用いることができる。以下、図１（ａ）及び（ｂ）を参照して、本実施例のスピーカー装置１００の構成等について説明する。
【００１５】
スピーカー装置１００は、低音再生用のスピーカーユニット５０と、高音再生用のスピーカーユニット５１と、その他各種の部材を備えている。かかるスピーカー装置１００は、いわゆる同軸型（コアキシャル型）の２ウェイスピーカーであり、放音側に高音再生用のスピーカーユニット５１を、背面側に低音再生用のスピーカーユニット５０を同軸上に配置して構成される。このため、スピーカー装置１００は、低域から高域にわたりフラットな音再生を実現できる。なお、低音再生用のスピーカーユニット５０は、低音及び中音再生が可能なスピーカーユニットであってもよい。また、高音再生用のスピーカーユニット５１は、高音及び中音再生が可能なスピーカーユニットであってもよい。
【００１６】
先ず、低音再生用のスピーカーユニット５０の構成について述べる。低音再生用のスピーカーユニット５０は、主として、振動板１、ダンパー２、防水ダンパー２２、ボイスコイルボビン３、ボイスコイル４、及び樹脂フレーム５を有する振動系１０と、ポールピース６、環状のマグネット７、及び環状のプレート８を有する磁気回路系１１と、樹脂グリル２１とを備えている。
【００１７】
先ず、振動系１０の各構成要素について説明する。
【００１８】
振動板１は、いわゆるコーン形状の振動板であり、別体のエッジ部１ａを接着するか、あるいはエッジ部１ａと一体的に形成される。振動板１には、各種の用途に応じ、紙系、高分子系、金属系などの各種の材料を適用することができる。振動板１の外周縁部、即ちエッジ部１ａの下端部は、樹脂フレーム５の上部に位置する第１のフランジ部５ａ上に固着している。一方、振動板１の内周縁部は、ボイスコイルボビン３の外周壁の上端近傍に固着している。
【００１９】
ダンパー２は、フェーノール樹脂などの熱硬化性樹脂を含侵した布製などの材料などからなり、複数の波型が同心円状に形成されている。ダンパー２は、ボイスコイルボビン３を移動自在に支持する。ダンパー２の内周縁部は、ボイスコイルボビン３の外周壁に固着している。一方、ダンパー２の外周縁部は、樹脂フレーム５の中央部近傍に形成された第２のフランジ部５ｂ上に固着している。
【００２０】
防水ダンパー２２は、放音側から磁気回路系１１などに水滴などが侵入するのを防止する機能を果たす。このため、防水ダンパー２２の材料としては、例えば、熱可塑性エラストマーなどの材料が適している。防水ダンパー２２の外周縁部は、振動板１の所定位置に取り付けられており、防水ダンパー２２の内周縁部は、後述する支持部材４０の連結部４０ｂの外周壁に取り付けられている。
【００２１】
ボイスコイルボビン３は、略円筒状の形状をなす。ボイスコイルボビン３の下端部の外周壁には、ボイスコイル４が巻回されている。また、ボイスコイルボビン３の下端部の外周壁は、環状のプレート８の内周壁と一定の間隔を隔てて対向している。さらに、ボイスコイルボビン３の下端部の内周壁は、ポールピース６の上端部の外周壁と一定の間隔を隔てて対向している。そして、ポールピース６の上端部の外周壁と、プレート８の内周壁との間に空隙（磁気ギャップ３３）が形成されている。
【００２２】
ボイスコイル４は、プラス／マイナスのリード端子（図示略）を有している。プラス側のリード端子は、Ｌ（又はＲ）チャンネル信号の入力端子であり、マイナス側のリード端子はグランド（ＧＮＤ：接地）信号の入力端子である。各リード端子は、振動板１の所定位置において、各錦糸線９の一端と電気的に接続されており、各錦糸線９の他端は、接続端子３２に電気的に接続されている。ボイスコイル４には、接続端子３２及び錦糸線９を介して、図示しないアンプ側から１チャンネル分の電気信号が入力される。
【００２３】
樹脂フレーム５は、樹脂材料からなるフレームである。樹脂フレーム５には、スピーカー装置１００の様々な構成部品が固定され、スピーカー装置１００を支持する役目を担う。樹脂フレーム５は、上方に開いた鍋状又はつぼ状の形状をなし、振動板１のエッジ部１ａを支持する第１のフランジ部５ａと、ダンパー２の外周縁部を支持する第２のフランジ部５ｂと、磁気回路系１１を載置する載置部５ｃとを有する。
【００２４】
第１のフランジ部５ａは樹脂フレーム５の上部の位置に形成されており、第２のフランジ部５ｂは樹脂フレーム５の中央部の位置に形成されている。載置部５ｃは、樹脂フレーム５の下部側、即ち背面側の位置に形成されている。載置部５ｃの中心軸近傍は、その下面側から上面側にかけて円錐台形状の窪みが形成されている。載置部５ｃは、その中心軸上に開口５ｄを有し、その周縁近傍に段部５ｊ及び孔部５ｋを有し、その背面側に凹部５ｅ及びスリット５ｍを有する。段部５ｊ、孔部５ｋ、凹部５ｅ及びスリット５ｍは、低音再生用のスピーカーユニット５０の組み立て時に磁気回路系１１と樹脂フレーム５との間の空間内の体積変化による接着剤６０の気泡発生を防止する役目を果たす。開口５ｄには、後述する固定部材４１が貫通しており、凹部５ｅには後述する銘板４２が貼付されている。この銘板４２は、スピーカー装置１００の背面側の見栄えなどを良くしたり、或いは製品情報などをユーザに認知させたりする用途として使用される。
【００２５】
次に、磁気回路系１１の各構成要素について説明する。
【００２６】
磁気回路系１１は、外磁型の磁気回路系として構成されている。本磁気回路は、ポールピース６と、環状のマグネット７と、環状のプレート８とを有する。
【００２７】
ポールピース６は、断面視すると略逆Ｔ字状の形状をなす。ポールピース６は、樹脂フレーム５の載置部５ｃ上に接着剤６０を介して固着している。ポールピース６は、フランジ状のヨーク６ａと、円筒状の形状をなすセンターポール６ｂと、センターポール６ｂ内に設けられた開口６ｃ及び６ｄとを有する。
【００２８】
ヨーク６ａは、樹脂フレーム５の載置部５ｃ上に配置されている。センターポール６ｂの下面側の中心軸近傍には円錐台形状の窪みが形成されている。センターポール６ｂ内に形成された開口６ｃ及び６ｄは各々直径が異なり、それらの開口は通じている。開口６ｃは、開口６ｄよりも直径が若干大きく、センターポール６ｂの中央部近傍からその上部にかけて形成されている。一方、開口６ｄは、開口６ｃの下端側、即ちセンターポール６ｂの中央部側から下部にかけて形成されている。また、開口６ｃには、後述する支持部材４０の下端部４０ｂｃが挿入されて、支持部材４０がセンターポール６ｂに固定されている。さらに、開口６ｃ及び６ｄには、固定部材４１が貫通している。なお、開口６ｃは、後述する支持部材４０の貫通穴４０ｂｂを介して固定部材４１が貫通している。
【００２９】
環状のマグネット７は、ヨーク６ａの上面に重なり合うように配置されていると共に、環状のプレート８は、マグネット７の上面に重なり合うように配置されている。センターポール６ｂは、環状のマグネット７及びプレート８の中央部の開口内を上方に延びている。プレート８の外周縁部は、補強のため、樹脂フレーム５の内周壁に接着剤６０を介して固定されている。
【００３０】
磁気回路系１１では、マグネット７、プレート８及びポールピース６により磁気回路を構成し、プレート８の内周壁とポールピース６の外周壁との間に形成される磁気ギャップ３３にマグネット７の磁束を集中させている。
【００３１】
樹脂グリル２１は、例えば樹脂材料からなり、低音再生用のスピーカーユニット５０、及び高音再生用のスピーカーユニット５１を保護する機能などを有する。このため、樹脂グリル２１は、それらを覆うように樹脂フレーム５に取り付けられている。また、樹脂グリル２１の上面側には、図示しないストライプ状の間隙が断続的に形成されており、低音再生用のスピーカーユニット５０、及び高音再生用のスピーカーユニット５１がその間隙を通じて放音側に音波を放射できるようになっている。
【００３２】
次に、高音再生用のスピーカーユニット５１について説明する。高音再生用のスピーカーユニット５１は、主として、振動板６１、ボイスコイル１４、及び上側フレーム１５を有する振動系３０と、ポールピース１６、環状のマグネット１７、及び環状のプレート１８を有する磁気回路系３１と、カバー２３とを備えている。
【００３３】
先ず、振動系３０の各構成要素について説明する。
【００３４】
振動板６１は、いわゆるドーム形状の振動板であり、エッジ部６１ａと一体的に形成されている。振動板６１は、上記振動板１と同様に、各種の用途に応じ、紙系、高分子系、金属系などの各種の材料を適用することができる。振動板６１の外周縁部、即ちエッジ部６１ａの外周縁部の下面は、樹脂フレーム１５の上面に固着している。
【００３５】
ボイスコイル１４は、略円筒状の形状をなす。ボイスコイル１４の外周壁は、環状のプレート１８の内周壁と一定の間隔を隔てて対向している。一方、ボイスコイル１４の内周壁は、ポールピース１６の上端部の外周壁と一定の間隔を隔てて対向している。そして、ポールピース１６の外周壁と、プレート１８の内周壁との間に空隙（磁気ギャップ３４）が形成されている。
【００３６】
また、ボイスコイル１４は、プラス／マイナスのリード端子（図示略）を有している。プラス側のリード端子は、Ｌ（又はＲ）チャンネル信号の入力端子であり、マイナス側のリード端子はグランド（ＧＮＤ：接地）信号の入力端子である。各リード端子は、図示しない各錦糸線の一端に電気的に接続されており、図示しない各錦糸線の他端は、図示しない接続端子に電気的に接続されている。ボイスコイル１４には、その接続端子及び錦糸線を介して、図示しないアンプ側から１チャンネル分の電気信号が入力される。
【００３７】
上側フレーム１５は、樹脂材料からなり、略環状の形状をなす。上側フレーム１５は、環状のプレート１８の上面に重なり合うように配置されている。上側フレーム１５は、振動板６１の外周縁部、即ちエッジ６１ａを支持する。
【００３８】
次に、磁気回路系３１の各構成要素について説明する。
【００３９】
磁気回路系３１は、外磁型の磁気回路系として構成されている。本磁気回路は、ポールピース１６と、環状のマグネット１７と、環状のプレート１８とを有する。
【００４０】
ポールピース１６は、断面視すると略逆Ｔ字状の形状をなす。ポールピース１６の下面には平坦性が確保されている。ポールピース１６は、支持部材４０の上端面４０ｂａに接着剤６０（図示略）を介して固着している。ポールピース１６は、フランジ状をなすヨーク１６ａと、円筒状の形状をなすセンターポール１６ｂと、そのセンターポール１６ｂ内に設けられた固定穴１６ｃと、センターポール１６ｂの下端部の外周壁とヨーク１６ａとの間に形成され断面が階段状の形状をなす段部１６ｄとを有する。
【００４１】
ヨーク１６ａは、支持部材４０の上端面４０ｂａ上に配置されている。センターポール１６ｂの下面側の中心軸近傍には円錐台形状の窪みが形成されている。固定穴１６ｃは、例えば、雌ねじであり、固定部材４１の先端部（例えば、雄ねじ）が挿入されてねじ止めされる。段部１６ｄの外周壁は、マグネット１７の下端部の外周壁と接触している。
【００４２】
環状のマグネット１７は、ヨーク１６ａの上面に重なり合うように配置されている。環状のマグネット１７の下端部の内周壁は、上記のように、ポールピース１６の段部１６ｄの外周側に配置され、環状のマグネット１７はヨーク１６ａ上の所定位置に正確に位置決めされている。環状のプレート１８は、マグネット１７の上面に重なり合うように配置されている。
【００４３】
磁気回路系３１では、マグネット１７、プレート１８及びポールピース１６により磁気回路を構成し、プレート１８の内周壁とポールピース１６の外周壁との間に形成される磁気ギャップ３４にマグネット１７の磁束を集中させている。
【００４４】
カバー２３は、例えば、樹脂材料からなり、後述する支持部材４０のフレーム部４０ａに取り付けられ、高音再生用のスピーカーユニット５１の放音側を覆っている。カバー２３は、高音再生用のスピーカーユニット５１を保護する機能などを有する。
【００４５】
スピーカー装置１００のその他各種の部材としては、支持部材４０、固定部材４１及び銘板４２が挙げられる。
【００４６】
支持部材４０は、円筒状の形状をなす連結部４０ｂと、その連結部４０ｂの上端面４０ｂａから高音再生用のスピーカーユニット５１の周囲を覆うように上方に延在してなるフレーム部４０ａとを有する。フレーム部４０ａにはカバー２３が装着されており、高音再生用のスピーカーユニット５１が覆われている。連結部４０ｂは、低音再生用のスピーカーユニット５０と、高音再生用のスピーカーユニット５１とを同軸上に配置している。連結部４０ｂの下端部４０ｂｃは、上記したように、ポールピース６の開口６ｃに挿入された状態で固定されている。平坦性の確保された上端面４０ｂａには、高音再生用のスピーカーユニット５１が接着剤６０（図示略）を介して固着している。連結部４０ｂ内には、その中心軸上を上下方向に貫通する貫通穴４０ｂｂが形成されており、その貫通穴４０ｂｂには固定部材４１が貫通している。
【００４７】
固定部材４１としては、例えば、雄ねじやボルトなどの部材が好適である。固定部材４１の先端部には、固定穴１６ｃの雌ねじに対応する雄ねじが形成されている。固定部材４１は、スピーカー装置１００の背面側から開口５ｄ、６ｄ及び６ｃ、並びに貫通穴４０ｂｂに通じて固定穴１６ｃに挿入されている。これにより、低音再生用のスピーカーユニット５０と、高音再生用のスピーカーユニット５１とが支持部材４０を介して同軸上に固定されている。
【００４８】
銘板４２は、高分子材料や金属材料などからなり、円板状の形状をなす。銘板４２は、上記したように、樹脂フレーム５の凹部５ｅに粘着剤や接着剤などにより貼り付けられている。銘板４２には、製品情報や会社名などが印字されている。
【００４９】
以上に述べたスピーカー装置１００において、アンプ側から各錦糸線に電気信号が入力されると、その電気信号はボイスコイル４、１４の各リード端子を介して、ボイスコイル４、１４へ供給される。これにより、磁気ギャップ３３、３４内でボイスコイル４、１４に夫々駆動力が発生し、振動板１、６１をスピーカー装置１００の軸方向に振動させる。こうして、スピーカー装置１００は放音側に音波を放射する。
【００５０】
[防水ダンパーの構造]
次に、図１及び図２を参照して、本発明の特徴をなす防水ダンパー２２の構造について説明する。図２は、円板状の防水ダンパー２２の直径を通る切断面による拡大断面図を示す。
【００５１】
防水ダンパー２２は、図２に示すように、外周縁部２２ａと、弾性部２２ｂと、内周縁部２２ｃとを有している。さらに、外周縁部２２ａは、固定部２２ａｂと、折り返し部２２ａｃとを有している。
【００５２】
固定部２２ａｂは、折り返し部２２ａｃと弾性部２２ｂとの間に設けられ、振動板１の放音面に接着剤６０により固定される。折り返し部２２ａｃは、その固定部２２ａｂの一端から外周方向に延在し、上側方向に折り返されてなる。防水ダンパー２２が振動板１に固定された状態で、折り返し部２２ａｃはスピーカー装置１００の放音面側に起立する。
【００５３】
弾性部２２ｂは、断面視すると波型形状をなし、音の再生時に振動板１と共にスピーカー装置１００の軸方向に伸縮する。内周縁部２２ｃは、弾性部２２ｂの一端から内周方向に延在してなり、支持部材４０の連結部４０ｂの上部に位置する外周壁に接着剤により固定される。
【００５４】
かかる構造の防水ダンパー２２を有するスピーカー装置１００では、水滴が樹脂グリル２１の間隙を通じて振動板１側に侵入したとしても、その水滴は防水ダンパー２２によって遮られ、その水滴が磁気回路系１１側に侵入することはない。
【００５５】
次に、図３を参照して、本発明の特徴をなす防水ダンパー２２の特有の作用効果などについて述べる。以下においては、説明の便宜上、外周縁部に折り返しが形成されていない通常の防水ダンパー７０と、本実施例に係る防水ダンパー２２とを対比しつつ説明する。
図３（ｂ）は、図１（ａ）における領域Ｅ６（破線により囲まれる領域）を拡大した断面図を示している。一方、図３（ａ）は、通常の防水ダンパー７０の、図３（ｂ）に相当する領域の拡大断面図を示している。また、図３（ａ）及び（ｂ）は、防水ダンパーの外周縁部が溶剤により侵食／膨潤する仕組みを説明するためのものである。
【００５６】
先ず、通常の防水ダンパー７０及び防水ダンパー２２の作用効果を説明するのに先立って、それらの構造の相違点について述べる。図３（ａ）及び（ｂ）を参照して理解されるように、通常の防水ダンパー７０と実施例の防水ダンパー２２とを比較すると、通常の防水ダンパー７０の外周縁部７０ａには折り返し部分が形成されていない。通常の防水ダンパー７０では、外周縁部７０ａが接着剤６０を介して振動板１の放音面に固定されている。一方、実施例の防水ダンパー２２では、外周縁部２２ａの構成要素である固定部２２ａｂが接着剤６０を介して振動板１の放音面に固定されており、それより外周側に折り返し部２２ａｃが設けられている。
【００５７】
防水ダンパー７０の外周縁部７０ａ及び防水ダンパー２２の外周縁部２２ａは、それぞれ振動板１に接着剤６０により固着する。防水ダンパー７０は例えばエラストマーなどの接着剤６０に含まれる溶剤成分により変形する部材が用いられる。このため、図３（ａ）の従来のものでは外周縁部７０ａを接着した際に接着剤の溶剤成分により防水ダンパー７０が変形してしまい正しく接着されない。
【００５８】
これに対して図３（ｂ）に示すように、本発明の実施例では折り返し部２２ａｃが接着面（固定部）２２ａｂより外側に形成されているため、接着面２２ａｂの変形を抑制あるいは防止することができる。
【００５９】
なお、折り返し部２２ａｃは防水ダンパー２２の一部として成形されるので、この折り返し部２２ａｃを形成することによって、防水ダンパー２２の製造コストが高くなることはない。
【００６０】
[変形例]
上記の実施例では、同軸型のスピーカー装置１００に本発明の防水ダンパー２２を適用することとしているが、これに限らず、本発明を他の各種形態のスピーカー装置に防水ダンパー２２を適用することは勿論可能である。また、本発明は車載用スピーカー装置にも適用することができる。
【図面の簡単な説明】
【００６１】
【図１】本発明の実施例に係るスピーカー装置の構成を断面図及び背面図として示す。
【図２】本実施例に係る防水ダンパーの拡大断面図を示す。
【図３】通常の防水ダンパー及び本実施例に係る防水ダンパーの外周縁部の構造及作用を説明する拡大断面図である。
【符号の説明】
【００６２】
１  振動板
２１  樹脂グリル
２２  防水ダンパー
２２ａ  外周縁部
２２ａｂ  固定部
２２ａｃ  折り返し部
２２ｂ  弾性部
２２ｃ  内周縁部
６０  接着剤
５０、５１  スピーカーユニット
１００  スピーカー装置
【図１】
2005277872.tif 000003
【図２】
2005277872.tif 000004
【図３】
2005277872.tif 000005